(57)【要約】【課題】迷惑電話の１つであるワンギリコールでは、対象となる発信者電話番号が多数存在し、全てを把握して対応することは困難である。更に新たに取得される電話番号にまで対応することは極めて困難である。また、このような電話番号に対して十分注意を払っていたにしても、誤って発信元通信することにより、法外な料金を請求され、多大な被害を被ったりすることが多々あった。【解決手段】着信時の呼び出し信号による呼び出し回数をカウンタ１８でカウントし、判定部１０ａで、例えば、その呼び出し回数が１以下か否かを判定し、１以下の場合、その間、着信音ミュート回路１９を動作させて、着信音が発音されないようにする。また、他の構成により発信者電話番号を表示或いは記録しないようにする。【選択図】        図４
2004201058.tif 000002
【特許請求の範囲】
【請求項１】
着信時に、着信を感知させる感知機能の動作、発信者番号の表示及び記録が可能な携帯電話機の迷惑電話対処方法において、
着信時の呼び出し信号による呼び出し回数をカウントし、
該カウントによってカウントされた呼び出し回数が所定回数以下か否かを判定し、
前記呼び出し回数が前記所定回数以下の間、前記呼び出しに同期して携帯電話ユーザーに着信を感知させる前記感知機能を動作させない着信感知制限を実行可能とする、
ことを特徴とする携帯電話機の迷惑電話対処方法。
【請求項２】
前記感知機能が、前記呼び出しに同期して着信音を発生する機能であることを特徴とする請求項１記載の携帯電話機の迷惑電話対処方法。
【請求項３】
前記感知機能が、前記呼び出しに同期して振動を発生する機能であることを特徴とする請求項１記載の携帯電話機の迷惑電話対処方法。
【請求項４】
前記感知機能が、前記呼び出しに同期して光を発生する機能であることを特徴とする請求項１記載の携帯電話機の迷惑電話対処方法。
【請求項５】
前記所定回数を１としたことを特徴とする請求項１乃至４の何れかに記載の携帯電話機の迷惑電話対処方法。
【請求項６】
携帯電話ユーザーによって、前記所定回数を設定するようにしたことを特徴とする請求項１乃至４の何れかに記載の携帯電話機の迷惑電話対処方法。
【請求項７】
携帯電話ユーザーによって、前記着信感知制限を実行するか否かを設定可能としたことを特徴とする請求項５又は６記載の携帯電話機の迷惑電話対処方法。
【請求項８】
携帯電話ユーザーによって、特定の電話番号を予め登録可能とし、前記発信者番号が前記特定の電話番号と一致しない場合に前記着信感知制限を実行するようにしたことを特徴とする請求項５又は６記載の携帯電話機の迷惑電話対処方法。
【請求項９】
着信時に、着信音の発生、発信者番号の表示及び記録が可能な携帯電話機の迷惑電話対処方法において、
着信時の呼び出し信号による呼び出し回数をカウントし、
該カウントによってカウントされた呼び出し回数が所定回数以下か否かを判定し、
前記呼び出し回数が前記所定回数以下の間、前記発信者番号を表示させない発信者番号表示制限を実行可能とする、
ことを特徴とする携帯電話機の迷惑電話対処方法。
【請求項１０】
前記所定回数を１としたことを特徴とする請求項９記載の携帯電話機の迷惑電話対処方法。
【請求項１１】
携帯電話ユーザーによって、前記所定回数を設定するようにしたことを特徴とする請求項９記載の携帯電話機の迷惑電話対処方法。
【請求項１２】
携帯電話ユーザーによって、前記発信者番号表示制限を実行するか否かを設定可能としたことを特徴とする請求項１０又は１１記載の携帯電話機の迷惑電話対処方法。
【請求項１３】
携帯電話ユーザーによって、特定の電話番号を予め登録可能とし、前記発信者番号が前記特定の電話番号と一致しない場合に前記発信者番号表示制限を実行するようにしたことを特徴とする請求項１０又は１１記載の携帯電話機の迷惑電話対処方法。
【請求項１４】
着信時に、着信音の発生、発信者番号の表示及び記録が可能な携帯電話機の迷惑電話対処方法において、
着信時の呼び出し信号による呼び出し回数をカウントし、
該カウントによってカウントされた呼び出し回数が所定回数以下か否かを判定し、
前記呼び出し回数が前記所定回数以下の間、前記発信者番号を記録させない発信者番号記録制限を実行可能とする、
ことを特徴とする携帯電話機の迷惑電話対処方法。
【請求項１５】
前記所定回数を１としたことを特徴とする請求項１４記載の携帯電話機の迷惑電話対処方法。
【請求項１６】
携帯電話ユーザーによって、前記所定回数を設定するようにしたことを特徴とする請求項１４記載の携帯電話機の迷惑電話対処方法。
【請求項１７】
携帯電話ユーザーによって、前記発信者番号記録制限を実行するか否かを設定可能としたことを特徴とする請求項１５又は１６記載の携帯電話機の迷惑電話対処方法。
【請求項１８】
携帯電話ユーザーによって、特定の電話番号を予め登録可能とし、前記発信者番号が前記特定の電話番号と一致しない場合に前記発信者番号記録制限を実行するようにしたことを特徴とする請求項１５又は１６記載の携帯電話機の迷惑電話対処方法。
【請求項１９】
着信時に、着信音の発生、発信者番号の表示及び記録が可能な携帯電話機であって、
着信時の呼び出し信号による呼び出し回数をカウントするカウント手段と、
該カウント手段によってカウントされた呼び出し回数が所定回数以下か否かを判定する判定手段と、
制御信号に応じて前記呼び出しに同期して前記着信音が発生するのを阻止する着信音阻止手段と、
前記呼び出し回数が前記所定回数以下の間、前記着信音阻止手段によって前記着信音の発生を阻止する前記制御信号を出力する制御手段と
を有することを特徴とする携帯電話機。
【請求項２０】
着信時に、着信音の発生、発信者番号の表示及び記録が可能な携帯電話機であって、
着信時の呼び出し信号による呼び出し回数をカウントするカウント手段と、
該カウント手段によってカウントされた呼び出し回数が所定回数以下か否かを判定する判定手段と、
制御信号に応じて前記発信者番号の表示を阻止する番号表示阻止手段と、
前記呼び出し回数が前記所定回数以下の間、前記番号表示阻止手段によって前記発信者番号の表示を阻止する前記制御信号を出力する制御手段と
を有することを特徴とする携帯電話機。
【請求項２１】
着信時に、着信音の発生、発信者番号の表示及び記録が可能な携帯電話機であって、
着信時の呼び出し信号による呼び出し回数をカウントするカウント手段と、
該カウント手段によってカウントされた呼び出し回数が所定回数以下か否かを判定する判定手段と、
前記呼び出し回数が前記所定回数以下の間、前記発信者番号のメモリーへの記録を行なわない制御手段と
を有することを特徴とする携帯電話機。
【請求項２２】
着信時に、着信を知らせる振動又は／及び光の発生が可能な携帯電話機であって、
着信時の呼び出し信号による呼び出し回数をカウントするカウント手段と、
該カウント手段によってカウントされた呼び出し回数が所定回数以下か否かを判定する判定手段と、
振動又は／及び光を発生する感知手段と、
前記呼び出し回数が前記所定回数以下の間、前記感知手段の振動又は／及び光の発生を停止する制御手段と
を有することを特徴とする携帯電話機。
【発明の詳細な説明】
【０００１】
【発明の属する技術分野】
本発明は、着信に対して発番を通知（表示）し、記録する機能を備えた携帯電話機に関し、特に迷惑電話に対する対応を配慮した携帯電話機に関する。
【０００２】
【従来の技術】
従来、この種の電話装置としては、例えば特定の電話の発信者番号と、この特定電話の発信者番号の着信回数を記憶手段に登録し、特定電話の発信者番号の電話が着信したとき、対応処理部によって、着信回数に応じて、「お役に立たないと存じますので、今後お電話は結構でございます」、「お電話に大変迷惑しております。今後電話をおかけになりませんようお願い致します」等のメッセージを送るといったものが提案されている（例えば、特許文献１参照）。
【０００３】
また、着信呼と共に送られてくる発信者識別番号をＩＤ検出部で検出し、これと、予め記憶部に登録済のかかってほしい相手番号とを照合部で照合し、合致した場合のみスイッチを切り替えてベルを鳴らし、それ以外は自動応答部で対応不能の旨の自動応答をなすといったものが提案されている（例えば、特許文献２参照）。
【０００４】
【特許文献１】
特開２００１―３５８８２４号公報（第６頁、図２）
【特許文献２】
特開２００１―１３４２５５号公報（第１頁、図１）
【０００５】
【発明が解決しようとする課題】
近年携帯電話機が普及するに従い、携帯電話システムを悪用した迷惑電話、悪徳商法によるトラブルの被害が増加している。その中の1つに、発信者が意図的に呼び出しを１度行っただけで電話を切り、着信者に着信を知らせ、携帯電話機に発番を通知し、記録させることにより、この番号に着信者から通信させるように仕向け、通信があった場合には、通話料とは別に情報提供料などという名目で、着信者に対して法外な料金を請求する、いわゆる、ワンギリコールがある。
【０００６】
このようなワンギリコールでは、対象となる発番が多数存在し、それら全てを特定し、対応することは困難であり、また、このような電話番号に対して、ある程度の情報を得て注意をしていたとしても、次から次に新たに取得される電話番号に対してまで、全てに対応することは極めて困難である。
【０００７】
上記ワンギリコールの対象となると思われる電話番号は、インターネットのホームページ上で公開され、これら電話番号以外にも、着信履歴で心当たりのない番号には応答しないように注意を促しているが、これら電話番号が、全てワンギリコールの対象なのか、作為的に何の関係もない電話番号まで含まれているかなどは判断できない。また、どんなに注意をしていたとしても、誤って、通信してしまうことがないとは限らない。
【０００８】
上記した特許文献１の従来の迷惑電話対策方法では、このような迷惑電話の発番を記録することで、この電話番号からの着信に対して、警告を送る等、何らかの対策を行っているが、発番が不特定多数存在するワンギリコールのような場合には、対応することが極めて困難である。
【０００９】
また、上記した特許文献２の従来の迷惑電話対策方法では、自分が電話番号を教えた相手が、自分に掛けてくる電話機の電話番号を予め登録しなければならないので、登録する電話番号の管理が面倒であり、更に、相手が不特定の公衆電話等から掛けても通じないので、緊急性の高い連絡の手段としては使用できない等の問題があった。
【００１０】
本発明の目的は、携帯電話ユーザーが、頻繁に電話番号登録を更新したり、必要な着信を拒否したりすることなく、ワンギリコールを受け取ることで不愉快な思いをしたり、また、誤って発信元に通信することにより法外な料金を請求され、多大な被害を被ったりしないような携帯電話機を提供することを目的とするものである。
【００１１】
【課題を解決するための手段】
本発明の携帯電話機の迷惑電話対処方法は、着信時に、着信を感知させる感知機能の動作、発信者番号の表示及び記録が可能な携帯電話機の迷惑電話対処方法において、
着信時の呼び出し信号による呼び出し回数をカウントし、該カウントによってカウントされた呼び出し回数が所定回数以下か否かを判定し、前記呼び出し回数が前記所定回数以下の間、前記呼び出しに同期して携帯電話ユーザーに着信を感知させる前記感知機能を動作させない着信感知制限を実行可能とする、
ことを特徴とする。
【００１２】
本発明の別の携帯電話機の迷惑電話対処方法は、着信時に、着信音の発生、発信者番号の表示及び記録が可能な携帯電話機の迷惑電話対処方法において、
着信時の呼び出し信号による呼び出し回数をカウントし、該カウントによってカウントされた呼び出し回数が所定回数以下か否かを判定し、前記呼び出し回数が前記所定回数以下の間、前記発信者番号を表示させない発信者番号表示制限を実行可能とする、
ことを特徴とする。
【００１３】
本発明の更に別の携帯電話機の迷惑電話対処方法は、着信時に、着信音の発生、発信者番号の表示及び記録が可能な携帯電話機の迷惑電話対処方法において、着信時の呼び出し信号による呼び出し回数をカウントし、該カウントによってカウントされた呼び出し回数が所定回数以下か否かを判定し、前記呼び出し回数が前記所定回数以下の間、前記発信者番号を記録させない発信者番号記録制限を実行可能とする、
ことを特徴とする。
【００１４】
本発明の携帯電話機は、着信時に、着信音の発生、発信者番号の表示及び記録が可能な携帯電話機において、
着信時の呼び出し信号による呼び出し回数をカウントするカウント手段と、該カウント手段によってカウントされた呼び出し回数が所定回数以下か否かを判定する判定手段と、制御信号に応じて前記呼び出しに同期して前記着信音が発生するのを阻止する着信音阻止手段と、前記呼び出し回数が前記所定回数以下の間、前記着信音阻止手段によって前記着信音の発生を阻止する前記制御信号を出力する制御手段と
を有することを特徴とする。
【００１５】
本発明の別の携帯電話機は、着信時に、着信音の発生、発信者番号の表示及び記録が可能な携帯電話機において、
着信時の呼び出し信号による呼び出し回数をカウントするカウント手段と、該カウント手段によってカウントされた呼び出し回数が所定回数以下か否かを判定する判定手段と、制御信号に応じて前記発信者番号の表示を阻止する番号表示阻止手段と、前記呼び出し回数が前記所定回数以下の間、前記番号表示阻止手段によって前記発信者番号の表示を阻止する前記制御信号を出力する制御手段と
を有することを特徴とする。
【００１６】
本発明の更に別の携帯電話機は、着信時に、着信音の発生、発信者番号の表示及び記録が可能な携帯電話機において、
着信時の呼び出し信号による呼び出し回数をカウントするカウント手段と、該カウント手段によってカウントされた呼び出し回数が所定回数以下か否かを判定する判定手段と、前記呼び出し回数が前記所定回数以下の間、前記発信者番号のメモリーへの記録を行なわない制御手段と
を有することを特徴とする。
【００１７】
本発明の更に別の携帯電話機は、着信時に、着信を知らせる振動又は／及び光の発生が可能な携帯電話機であって、
着信時の呼び出し信号による呼び出し回数をカウントするカウント手段と、該カウント手段によってカウントされた呼び出し回数が所定回数以下か否かを判定する判定手段と、振動又は／及び光を発生する感知手段と、前記呼び出し回数が前記所定回数以下の間、前記感知手段の振動又は／及び光の発生を停止する制御手段と
を有することを特徴とする。
【００１８】
【発明の実施の形態】
図１は、後に本発明の携帯電話機を説明するため、参考として引用される基本的な機能を備えた携帯電話機１００の全体の構成を示すブロック図である。従って従来例ではない。
【００１９】
同図の携帯電話機１００において、アンテナ１の端子はアンテナ共用部２のアンテナ接続部に接続され、アンテナ共用部２の出力部は受信部３の入力部に接続され、受信部３の出力部は受信処理部７の入力部に接続されている。送信処理部８の出力部は送信部４の入力部に接続され、送信部４の出力部はアンテナ共用部２の入力部に接続されている。周波数シンセサイザ５の出力部は、受信部３及び送信部４の同調周波数信号入力部に接続されている。
【００２０】
電源部１７は各部に必要な電源を供給し、画像処理部１１の出力部は表示部１２の入力部に接続され、音声処理部１３の入出力部は受話器１４及び送話器１５に接続され、表示キー１６がマイコン制御部１０の信号入力部に接続されている。
【００２１】
更にマイコン制御部１０の入出力ポートは、バス（ＢＵＳ）を介して受信処理部７、送信処理部８、画像処理部１１、音声処理部１３の各制御信号入出力部と接続している。また、アンテナ共用部２、受信部３、送信部４、及び周波数シンセサイザ５は無線部６を構成し、受信処理部７と送信処理部８はベースバンド信号処理部９を構成している。
【００２２】
以上の構成において、この携帯電話機１００が行なう信号着信時の各部の動作について説明する。
【００２３】
アンテナ共用部２は、アンテナ１を送受信共用とするための回路で、受信部３は、受信した信号をＩＦ周波数に変換したり、更にベースバンド信号に復調したりするための回路である。ベースバンド信号処理部９の中の受信処理部７は、受信したベースバンド信号に対して、帯域制限処理、レベル制御処理、制御データ信号の波形成形処理など様々な信号処理を行う。
【００２４】
マイコン制御部１０は、プロトコルに基づく送受信シーケンスに従った各部の制御や表示、キー入力制御などヒューマンインターフェース関連の制御、更には電話番号等のデータ記録などの制御を行う。画像処理部１１は、受信情報の内、画像として表示する情報を処理し、表示部１２はこの画像処理部１１から入力した表示データを画像表示する。音声処理部１３は、受信情報の内、音声として表現する情報を処理し、受話器１４はこの音声処理部１３から入力した音声データを音声出力する。更に、表示キー１６は電話番号等の情報を入力する図示しない入力キーを備えている。
【００２５】
また、図２は、図１の内、ベースバンド信号処理部９以降の信号処理に関係する各部を、より詳しく説明するための部分ブロック図である。
【００２６】
同図に示すように、マイコン制御部１０には、マイコン本体１０ａ、電話番号、着信履歴、登録者名等の情報を保管するメモリー１０ｂ、及び初期設定情報等を保管するためのＥＥＰＲＯＭ１０ｃが収まっている。また、音声処理部１３には、音声処理回路１３ａ、音声処理回路１３ａからのデジタルデータを受話器１４で音声として発生させるためにアナログ信号に変換するＤ／Ａ変換器１３ｂ、更に送話器１５からのアナログ信号を音声処理回路１３ａに送るデジタルデータに変換するためのＡ／Ｄ変換器１３ｃが収まっている。
【００２７】
図３は、この携帯電話機１００の着信動作を説明するためのフローチャートであり、このフローチャートに基づいて、携帯電話機１００の着信動作を以下に説明する。尚、本発明は、携帯電話機の着信に関するものであることから、本発明に直接関係のない送信部等の説明は、ここでは省略する。
【００２８】
開始（待ち受け）状態で（Ｓ１）、アンテナ１より受信された受信信号は、送受信用のアンテナを共用するためのアンテナ共用部２を経て、無線部６の中の受信部３で、IF周波数に変換され、さらにベースバンド信号に復調された後、帯域制限処理、レベル制御処理、制御データ信号の波形成形処理など様々な信号処理がなされるベースバンド信号処理部９の中の受信処理部７に送られる。
【００２９】
元来、マイコン制御部１０では、プロトコルに基づく送受信シーケンスに従った各部の制御や表示、キー入力制御などヒューマンインターフェース関連の制御を行っており、ここでの制御により、着信の検出（Ｓ２）及び発信者電話番号（以後、発番と称す）の受信（Ｓ３）、に対する処理や記録も行われている。
【００３０】
ベースバンド信号処理部９の中の受信処理部７に送られた受信情報の内、呼び出し要求に対しては受話器１４より着信音として発せられ（Ｓ４）、発番に対しては表示部１２に視覚として捉えられる形で表され（Ｓ５）、あわせて、着信履歴という形で、マイコンもしくはマイコン制御部１０内のメモリーに保管される（Ｓ６）。ここで、一連の着信動作は終了し（Ｓ７）、通信の切断（電話が切れる状態）、又は、通話動作に移行する。
【００３１】
実施の形態１．
図４は、本発明による携帯電話機の要部構成を示す実施の形態１のブロック図である。このブロック図の構成は、前記した図１の携帯電話機１００のベースバンド信号処理部９以降の音声信号処理に関係する各部、即ち図２の部分ブロック図に明示された構成部分から、画像処理部１１及び表示部１２を除いた部分に相当する。従って、本実施の形態の携帯電話機２１の全構成は、図１の携帯電話機１００のうち、図２の部分ブロック図の画像処理部１１及び表示部１２を除いた部分を図４のブロック図に示す構成としたものである。
【００３２】
また、本実施の形態の携帯電話機２１が、前記した図１の携帯電話機１００と主に異なる点は、カウント手段に相当するカウンター１８、着信音阻止手段にそうとうする着信音ミュート回路１９、及び判定手段に相当する判定部１０ｂを新たに追加した点と、制御手段に相当するマイコン１０ａの処理動作が異なる点である。従って、本実施の形態の携帯電話機２１が前記した図１の携帯電話機１００と構成的に共通する部分は、図面を省略し、或いは同符号を付して説明を省略し、これと異なる特徴的な点を重点的に、以後説明する。
【００３３】
同図中、カウンター１８は、着信時の呼び出しの回数をカウントし、マイコン１０ａの判定部１０ｄは、カウンター１８から送られてきた回数情報が、最初（１回目）であるか２回目以降であるかを判定し、着信音ミュート回路１９は、マイコン１０ａから入力する着信音制御信号に応じて、呼び出しに同期して音声処理回路１３ａから出力される着信音をミュートしてこれを無音とする。
【００３４】
図６は、本実施の形態１の携帯電話機２１の動作を示すフローチャートであり、図１及び図４を参照しながらこのフローチャートに沿って、より詳しい動作を以下に説明する。尚、以後、同じ処理動作を行なうステップには、同じステップ番号を付して説明する。
【００３５】
開始（待ち受け）状態で（Ｓ１）、アンテナ１より受信された受信信号は、送受信用のアンテナを共用するためのアンテナ共用部２を経て、無線部６の中の受信部３で、IF周波数に変換され、さらにベースバンド信号に復調された後、帯域制限処理、レベル制御処理、制御データ信号の波形成形処理など様々な信号処理がなされるベースバンド信号処理部９の中の受信処理部７に送られる。
【００３６】
元来、マイコン制御部１０では、プロトコルに基づく送受信シーケンスに従った各部の制御や表示、キー入力制御などヒューマンインターフェース関連の制御を行っており、ここでの制御により、着信の検出（Ｓ２）、発番の受信（Ｓ３）、に対する処理や記録も行われている。
【００３７】
ベースバンド信号処理部９に送られた受信情報の内、呼び出しに関する情報である呼び出し信号は、カウンター１８によりその呼び出し回数が数えられ（Ｓ８）、その回数情報がマイコン１０ａに送られる。マイコン１０ａでは、送られてきた回数情報が、最初（１回目）であるか２回目以降であるかを判定し（Ｓ９）、最初（１回目）の呼び出しであれば、着信音を鳴らさない指示を着信音制御信号で着信音ミュート回路１９に送ってミュート状態とし（Ｓ１０）、次に、呼び出しが継続しているか確認し（Ｓ１１）、呼び出しが継続していない場合は着信音を鳴らさないまま（Ｓ１２）、動作を終了する（Ｓ７）。
【００３８】
一方、呼び出しが継続している場合、再び、最初（１回目）であるか２回目以降であるかを判定し（Ｓ９）、２回目以降であれば着信音を鳴らすという指示を着信音制御信号で着信音ミュート回路１９に送る（Ｓ１３）。着信音ミュート回路１９では、マイコン１０ａからの着信音制御信号に基づいてミュートを解除して着信音を鳴らす状態としてそのまま送出し（Ｓ４）、動作を終了する（Ｓ７）。
【００３９】
図５は、上記した実施の形態１の携帯電話機２１の別の構成例を示すブロック図である。同図に示すように、着信音ミュート回路１９（図４）に替え、音声処理回路１３ａ内に着信音非送出部１３ｄを設けても良い。この場合、着信音非送出部１３ｄがマイコン１０ａからの着信音制御信号を受け、そのときだけ着信音を送出しないように構成されている。更に、図示しないが、このように呼び出しに対して着信音を送出しない機能を備えた回路部分は、その機能を満たせば、携帯電話機の回路ブロック内のどこに構成してもかまわない。
【００４０】
同様にして、カウンター１８もマイコン内臓としてもよい等、その機能を満たせば、携帯電話機の回路ブロック内のどこに構成してもかまわない。
【００４１】
以上のように、実施の形態１の携帯電話機によれば、１回目の着信音はミュートされて携帯電話ユーザーに通知されないので、携帯電話ユーザーがワンギリコールを受け取ることで不愉快な思いをすることのない携帯電話機を提供することができる。
【００４２】
実施の形態２．
図７は、本発明による携帯電話機によって行なわれる実施の形態２の動作処理を説明するためのフローチャートである。本実施の形態２では、実施の形態１の携帯電話機２１（図４）が、ユーザーが表示キー１６を用いて、通常動作と上記ミュート動作を選択的に指定可能に構成されているものとする。ここでいう通常動作とは、実施の形態１の携帯電話機２１（図４）のようなミュート動作を行なわない、前記した携帯電話機１００（図１）が行なう基本的な動作のことである。
【００４３】
また、この動作を実現するための回路構成としては、実施の形態１で示した携帯電話機２１の構成において、マイコン設定を変えるだけで対応できるため、図１、図４に示す携帯電話機２１を参照しながら、図７のフローチャートに沿って以下に説明する。
【００４４】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【００４５】
マイコン１０ａでは、ユーザーによって前記した通常動作の設定がなされているかどうかを判定し（Ｓ１５）、通常動作の設定がなされていた場合、通常動作を行う（Ｓ１６）。通常動作の設定がなされていない場合は、送られてきた回数情報が、最初（１回目）であるか２回目以降であるかを判定し（Ｓ９）、最初（１回目）の呼び出しであれば、着信音を鳴らさない指示を着信音制御信号で着信音ミュート回路１９に送ってミュート状態とし（Ｓ１０）、次に、呼び出しが継続しているか判定を行い（Ｓ１１）、呼び出しが継続していない場合は着信音を鳴らさないまま（Ｓ１２）、動作を終了する（Ｓ７）。
【００４６】
一方、呼び出しが継続している場合、再び、最初（１回目）であるか２回目以降であるかを判定し（Ｓ９）、２回目以降であれば着信音を鳴らすという指示を着信音制御信号で着信音ミュート回路１９に送る（Ｓ１３）。着信音ミュート回路１９では、マイコン１０ａからの着信音制御信号に基づいてミュートを解除して着信音を鳴らす状態としてそのまま送出し（Ｓ４）、動作を終了する（Ｓ７）。
【００４７】
以上のように、実施の形態２の動作処理によれば、ユーザーが、携帯電話機に対してワンギリコールを無視するモードを必要に応じて選択的に設定したり解除したりできるので、ごく親しい間柄で、発番が既にわかっている者同士で使用されている、いわゆる、「プチコール」に対して、呼び出し音を着信者に知らせることも可能となる。
【００４８】
実施の形態３．
図８は、本発明による携帯電話機の要部構成を示す実施の形態３のブロック図である。このブロック図の構成は、前記した図１の携帯電話機１００のベースバンド信号処理部９以降の音声信号処理に関係する各部、即ち図２の部分ブロック図に明示された構成部分から、画像処理部１１及び表示部１２を除いた部分に相当する。従って、本実施の形態の携帯電話機３１の全構成は、図１の携帯電話機１００のうち、図２の部分ブロック図の画像処理部１１及び表示部１２を除いた部分を図８のブロック図に示す構成としたものである。
【００４９】
また、本実施の形態の携帯電話機３１が、前記した図４に示す実施の形態１の携帯電話機２１に対して主に異なる点は、マイコン１０ａに呼び出し回数設定部１０ｅを設けた点と、マイコン１０ａの処理動作が異なる点である。従って、本実施の形態３の携帯電話機３１が前記した図４の携帯電話機２１と構成的に共通する部分には同符号を付して説明を省略し、これと異なる特徴的な点を重点的に、以後説明する。
【００５０】
図８において、呼び出し回数設定部１０ｅは、例えばユーザーが表示キー１６を用いて、呼び出しに対して着信音を送出しない回数を任意に設定できるようにマイコン１０ａ内に設けられ、判定部１０ｄは、カウンター１８から送られてきた回数情報が、設定された回数以内か否かの判定を行なう。
【００５１】
図９は、本実施の形態３の携帯電話機３１の動作を示すフローチャートであり、図１及び図８を参照しながら、このフローチャートに沿って、より詳しい動作を以下に説明する。
【００５２】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【００５３】
マイコン１０ａでは、送られてきた回数情報が、呼び出し回数設定部１０ｅに設定された回数以内か否かを判定し（Ｓ１４）、設定された回数以内の呼び出しであれば、着信音を鳴らさない指示を着信音制御信号で着信音ミュート回路１９に送ってミュート状態とし（Ｓ１０）、次に、呼び出しが継続しているか判定を行い（Ｓ１１）、呼び出しが継続していない場合は着信音を鳴らさないまま（Ｓ１２）、動作を終了する（Ｓ７）。
【００５４】
一方、呼び出しが継続している場合、再び、呼び出し回数設定部１０ｅに設定された回数以内かそれ以降であるかを判定し（Ｓ１４）、設定回数以降であれば着信音を鳴らすという指示を着信音制御信号で着信音ミュート回路１９に送る（Ｓ１３）。着信音ミュート回路１９では、マイコン１０ａからの着信音制御信号に基づいてミュートを解除して着信音を鳴らす状態としてそのまま送出し（Ｓ４）、動作を終了する（Ｓ７）。
【００５５】
以上のように、実施の形態３の携帯電話機によれば、ワンギリコールのみならず、ワンギリコールと同様な手段で、呼び出し回数を２回、３回といった携帯電話ユーザーが着信対応を行うのが困難な回数以内で電話を切るといった同種の迷惑電話に対しても、着信音を鳴らさないようにでき、着信者に着信自体を知らせないようにすることが可能である。すなわち、携帯電話ユーザーがこのような迷惑電話を受け取ることで不愉快な思いをすることのない携帯電話機を提供することができる。
【００５６】
実施の形態４．
図１０は、本発明による携帯電話機によって行なわれる実施の形態４の動作処理を説明するためのフローチャートである。本実施の形態４では、実施の形態３の携帯電話機３１（図８）が、ユーザーが表示キー１６を用いて、通常動作と上記ミュート動作を選択的に指定可能に構成されているものとする。ここでいう通常動作とは、実施の形態３の携帯電話機３１（図８）のようなミュート動作を行なわない、前記した携帯電話機１００（図１）が行なう基本的な動作のことである。
【００５７】
また、この動作を実現するための回路構成としては、実施の形態３で示した携帯電話機３１の構成において、マイコン設定を変えるだけで対応できるため、図１、図８に示す携帯電話機３１を参照しながら、図１０のフローチャートに基づく動作処理について説明する。
【００５８】
この図１０のフローチャートに基づく動作処理が前記した実施の形態２の動作処理を説明する図７のフローチャートに基づく動作処理に対して異なる点は、Ｓ１４の動作処理だけである。即ち、実施の形態２では、マイコン１０ａに送られてきた回数情報が、Ｓ９で、最初（１回目）であるか２回目以降であるかを判定しているのに対して、本実施の形態４のＳ１４では、呼び出し回数設定部１０ｅに設定された回数以内か否かを判定している点だけである。その他の処理動作は、全く同じであるため、重複をさけるためにここでの説明を省略する。
【００５９】
以上のように、本実施の形態４によれば、実施の形態３の効果に加え、ユーザーが、携帯電話機に対して迷惑電話を無視するモードを必要に応じて選択的に設定したり解除したりできるので、ごく親しい間柄で、発番が既にわかっている者同士で使用されている、いわゆる、「プチコール」に対して、着信者に着信音を知らせることも可能となる。
【００６０】
実施の形態５．
図１１は、本発明による携帯電話機の要部構成を示す実施の形態５のブロック図である。このブロック図の構成は、前記した図１の携帯電話機１００のベースバンド信号処理部９以降の音声信号処理に関係する各部、即ち図２の部分ブロック図に明示された構成部分から、画像処理部１１及び表示部１２を除いた部分に相当する。従って、本実施の形態の携帯電話機３２の全構成は、図１の携帯電話機１００のうち、図２の部分ブロック図の画像処理部１１及び表示部１２を除いた部分を図１１のブロック図に示す構成としたものである。
【００６１】
また、本実施の形態の携帯電話機３２が、前記した図８に示す実施の形態３の携帯電話機３１に対して主に異なる点は、マイコン１０ａに発番照合部１０ｆ及び電話番号登録部１０ｇを設けた点と、マイコン１０ａの処理動作が異なる点である。従って、本実施の形態５の携帯電話機３２が前記した図８の携帯電話機３１と構成的に共通する部分には同符号を付して説明を省略し、これと異なる特徴的な点を重点的に、以下に説明する。
【００６２】
図１１において、電話番号登録部１０ｇは、例えばユーザーが表示キー１６を用いて、予め、電話番号を登録できるようにマイコン１０ａ内に設けられ、発番照合部１０ｆは、発番と登録された電話番号を照合するために同じくマイコン１０ａ内に設けられている。
【００６３】
図１２は、本実施の形態５の携帯電話機３２の動作を示すフローチャートであり、図１及び図１１を参照しながらこのフローチャートに沿って、より詳しい動作を以下に説明する。
【００６４】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、発番と共に、その回数情報がマイコン１０ａに送られる。
【００６５】
マイコン１０ａでは、送られてきた発番の情報を、予め登録された電話番号と照合し（Ｓ２５）、登録された電話番号と一致していた場合、通常動作を行う（Ｓ１６）。登録された電話番号と一致しなかった場合は、送られてきた回数情報が、呼び出し回数設定部１０ｅに設定された回数以内か否かを判定し（Ｓ１４）、設定された回数以内の呼び出しであれば、着信音を鳴らさない指示を着信音制御信号で着信音ミュート回路１９に送ってミュート状態とし（Ｓ１０）、次に、呼び出しが継続しているか判定を行い（Ｓ１１）、呼び出しが継続していない場合は着信音を鳴らさないまま（Ｓ１２）、動作を終了する（Ｓ７）。
【００６６】
尚、ここでいう通常動作とは、実施の形態３の携帯電話機３１（図８）のようなミュート動作を行なわない、前記した携帯電話機１００（図１）が行なう基本的な動作のことである。
【００６７】
一方、呼び出しが継続している場合、再び、呼び出し回数設定部１０ｅに設定された回数以内かそれ以降であるかを判定し（Ｓ１４）、設定回数以降であれば着信音を鳴らすという指示を着信音制御信号で着信音ミュート回路１９に送る（Ｓ１３）。着信音ミュート回路１９では、マイコン１０ａからの着信音制御信号に基づいて着信音を鳴らす状態としてそのまま送出し（Ｓ４）、動作を終了する（Ｓ７）。
【００６８】
以上のように、実施の形態５の携帯電話機によれば、前記プチコールとワンギリコールを分けて扱うことができる。すなわち携帯電話ユーザーは、必要とするプチコールを見逃すこと無しに、迷惑電話を受け取ることで不愉快な思いをすることのない携帯電話機を提供することができる。
【００６９】
実施の形態６．
図１３は、本発明による携帯電話機の部分構成を示す実施の形態６のブロック図である。このブロック図の部分構成は、前記した図１の携帯電話機１００のベースバンド信号処理部９以降の画像信号処理に関係する各部、即ち図２の部分ブロック図に明示された構成部分から、音声処理部１３、受話器１４、及び送話器１５を除いた部分に相当する。従って、本実施の形態の携帯電話機４１の全構成は、図１の携帯電話機１００のうち、図２の部分ブロック図の音声処理部１３、受話器１４、及び送話器１５を除いた部分を図１３のブロック図に示す構成としたものである。
【００７０】
また、本実施の形態の携帯電話機４１が、前記した図１の携帯電話機１００と主に異なる点は、後述するカウンター１８、番号表示阻止手段に相当する発番非表示回路５３を新たに追加した点と、マイコン１０ａの処理動作が異なる点である。従って、本実施の形態の携帯電話機４１が前記した図１の携帯電話機１００と構成的に共通する部分は、図面を省略し、或いは同符号を付して説明を省略し、これと異なる特徴的な点を重点的に、以後説明する。
【００７１】
同図中、カウンター１８は、着信に対して呼び出しの回数をカウントし、マイコン１０ａの判定部１０ｄは、カウンター１８から送られてきた回数情報が、最初（１回目）であるか２回目以降であるかを判定し、発番非表示回路５３は、マイコン１０ａから入力する発番表示制御信号に応じて、呼び出し時に画像処理部１１から出力される発番を表示しないように画像処理する。
【００７２】
図１５は、本実施の形態６の携帯電話機４１の動作を示すフローチャートであり、図１及び図１３を参照しながらこのフローチャートに沿って、より詳しい動作を以下に説明する。尚、前出のステップと同じ処理動作を行なうステップには、同じステップ番号を付して説明する。
【００７３】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【００７４】
マイコン１０ａでは、送られてきた回数情報が、最初（１回目）であるか２回目以降であるかを判定し（Ｓ９）、最初（１回目）の呼び出しであれば、発番を表示しない指示を発番表示制御信号で発番非表示回路５３に送って発番を非表示とする（Ｓ１７）。次に、呼び出しが継続しているか確認し（Ｓ１１）、呼び出しが継続していない場合は発番を表示しないまま（Ｓ１９）、動作を終了する（Ｓ７）。
【００７５】
一方、呼び出しが継続している場合、再び、最初（１回目）であるか２回目以降であるかを判定し（Ｓ９）、２回目以降であれば発番を表示するという指示を発番表示制御信号で発番非表示回路５３に送る（Ｓ２０）。発番非表示回路５３では、マイコン１０ａからの発番表示制御信号に基づいて発番を表示する画像信号をそのまま送出し（Ｓ１８）、動作を終了する（Ｓ７）。
【００７６】
図１４は、上記した実施の形態６の携帯電話機４１の別の構成例を示すブロック図である。同図に示すように、発番非表示回路５３（図１３）に替え、画像処理部１１内に発番非表示部１１ａを設けても良い。この場合、発番非表示部１１ａがマイコン１０ａからの発番表示制御信号を受け、そのときだけ発番画像を送出しないように構成されている。更に、図示しないが、このように呼び出しに対して発番を送出しない機能を備えた回路部分は、その機能を満たせば、携帯電話機の回路ブロック内のどこに構成してもかまわない。
【００７７】
以上のように、実施の形態６の携帯電話機によれば、ワンギリコールの発番だけを着信者に知らせないことが可能である。すなわち、携帯電話ユーザーがこのようなワンギリコールを受け取ることで不愉快な思いをすることのない携帯電話機を提供することができる。
【００７８】
実施の形態７．
図１６は、本発明による携帯電話機によって行なわれる実施の形態７の動作処理を説明するためのフローチャートである。本実施の形態７では、実施の形態６の携帯電話機４１（図１３）が、ユーザーが表示キー１６を用いて、通常動作と上記非表示動作を選択的に指定可能に構成されているものとする。ここでいう通常動作とは、実施の形態６の携帯電話機４１（図１３）のような非表示動作を行なわない、前記した携帯電話機１００（図１）が行なう基本的な動作のことである。
【００７９】
また、この動作を実現するための回路構成としては、実施の形態６で示した携帯電話機４１の構成において、マイコン設定を変えるだけで対応できるため、図１、図１３に示す携帯電話機４１を参照しながら、図１６のフローチャートに沿って以下に説明する。
【００８０】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【００８１】
マイコン１０ａでは、ユーザーによって前記した通常動作の設定がなされているかどうかを判定し（Ｓ１５）、通常動作の設定がなされていた場合、通常動作を行う（Ｓ１６）。通常動作の設定がなされていない場合は、送られてきた回数情報が、最初（１回目）であるか２回目以降であるかを判定し（Ｓ９）、最初（１回目）の呼び出しであれば、発番を表示しない指示を発番表示制御信号で発番非表示回路５３に送って発番を非表示とし（Ｓ１７）、次に、呼び出しが継続しているか確認し（Ｓ１１）、呼び出しが継続していない場合は発信者番号を表示しないまま（Ｓ１９）、動作を終了する（Ｓ７）。
【００８２】
一方、呼び出しが継続している場合、再び、最初（１回目）であるか２回目以降であるかを判定し（Ｓ９）、２回目以降であれば発番を表示するという指示を発番表示制御信号で発番非表示回路５３に送る（Ｓ２０）。発番非表示回路５３では、マイコン１０ａからの発番表示制御信号に基づいて発番を表示する画像信号をそのまま送出し（Ｓ１８）、動作を終了する（Ｓ７）。
【００８３】
以上のように、実施の形態７の動作処理によれば、ユーザーが、携帯電話機に対してワンギリコールを無視するモードを必要に応じて選択的に設定したり解除したりできるので、ごく親しい間柄で、発番が既にわかっている者同士で使用されている、いわゆる、「プチコール」に対して、その発番を着信者に知らせることも可能となる。
【００８４】
実施の形態８．
図１７は、本発明による携帯電話機の部分構成を示す実施の形態８のブロック図である。このブロック図の部分構成は、前記した図１の携帯電話機１００のベースバンド信号処理部９以降の画像信号処理に関係する各部、即ち図２の部分ブロック図に明示された構成部分から、音声処理部１３、受話器１４、及び送話器１５を除いた部分に相当する。従って、本実施の形態の携帯電話機５１の全構成は、図１の携帯電話機１００のうち、図２の部分ブロック図の音声処理部１３、受話器１４、及び送話器１５を除いた部分を図１７のブロック図に示す構成としたものである。
【００８５】
また、本実施の形態の携帯電話機５１が、前記した図１３に示す実施の形態７の携帯電話機４１に対して主に異なる点は、マイコン１０ａに呼び出し回数設定部１０ｅを設けた点と、マイコン１０ａの処理動作が異なる点である。従って、本実施の形態８の携帯電話機５１が前記した図１３の携帯電話機４１と構成的に共通する部分には同符号を付して説明を省略し、これと異なる特徴的な点を重点的に、以後説明する。
【００８６】
図１７において、呼び出し回数設定部１０ｅは、例えばユーザーが表示キー１６を用いて、呼び出しに対して発番を表示しない回数を任意に設定できるようにマイコン１０ａ内に設けられ、判定部１０ｄは、カウンター１８から送られてきた回数情報が、設定された回数以内か否かの判定を行なう。
【００８７】
図１８は、本実施の形態８の携帯電話機５１の動作を示すフローチャートであり、図１及び図１７を参照しながら、このフローチャートに沿って、より詳しい動作を以下に説明する。
【００８８】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【００８９】
マイコン１０ａでは、送られてきた回数情報が、呼び出し回数設定部１０ｅに設定された回数以内か否かを判定し（Ｓ１４）、設定された回数以内の呼び出しであれば、発番を表示しない指示を発番表示制御信号で発番非表示回路５３に送って発番を非表示とする（Ｓ１７）。次に、呼び出しが継続しているか確認し（Ｓ１１）、呼び出しが継続していない場合は発番を表示しないまま（Ｓ１９）、動作を終了する（Ｓ７）。
【００９０】
一方、呼び出しが継続している場合、再び、呼び出し回数設定部１０ｅに設定された回数以内かそれ以降であるかを判定し（Ｓ１４）、設定回数以降であれば発番を表示するという指示を発番表示制御信号で発番非表示回路５３に送る（Ｓ２０）。発番非表示回路５３では、マイコン１０ａからの発番表示制御信号に基づいて発番を表示する画像信号をそのまま送出し（Ｓ１８）、動作を終了する（Ｓ７）。
【００９１】
以上のように、実施の形態８の携帯電話機によれば、ワンギリコールのみならず、ワンギリコールと同様な手段で、呼び出し回数を２回、３回といった携帯電話ユーザーが着信対応を行うのが困難な回数以内で電話を切るといった同種の迷惑電話に対して、着信者に発番を知らせないようにすることが可能である。すなわち、携帯電話ユーザーがこのような迷惑電話を受け取ることで不愉快な思いをすることのない携帯電話機を提供することができる。
【００９２】
実施の形態９．
図１９は、本発明による携帯電話機によって行なわれる実施の形態９の動作処理を説明するためのフローチャートである。本実施の形態９では、実施の形態８の携帯電話機５１（図１７）が、ユーザーが表示キー１６を用いて、通常動作と上記非表示動作を選択的に指定可能に構成されているものとする。ここでいう通常動作とは、実施の形態８の携帯電話機５１のような非表示動作を行なわない、前記した携帯電話機１００（図１）が行なう基本的な動作のことである。
【００９３】
また、この動作を実現するための回路構成としては、実施の形態８で示した携帯電話機５１の構成において、マイコン設定を変えるだけで対応できるため、図１、図１７に示す携帯電話機５１を参照しながら、図１９のフローチャートに基づく動作処理について説明する。
【００９４】
この図１９のフローチャートに基づく動作処理が前記した実施の形態７の動作処理を説明する図１６のフローチャートに基づく動作処理に対して異なる点は、Ｓ１４の動作処理だけである。即ち、実施の形態７では、マイコン１０ａが送られてきた回数情報が、Ｓ９で、最初（１回目）であるか２回目以降であるかを判定しているのに対して、本実施の形態９のＳ１４では、呼び出し回数設定部１０ｅに設定された回数以内か否かを判定している点だけである。その他の処理動作は、全く同じであるため、重複をさけるためにここでの説明を省略する。
【００９５】
以上のように、本実施の形態９によれば、実施の形態８の効果に加え、ユーザーが、携帯電話機に対して迷惑電話を無視するモードを必要に応じて選択的に設定したり解除したりできるので、ごく親しい間柄で、発番が既にわかっている者同士で使用されている、いわゆる、「プチコール」に対して、着信者に発番を知らせることも可能となる。
【００９６】
実施の形態１０．
図２０は、本発明による携帯電話機の要部構成を示す実施の形態１０のブロック図である。このブロック図の構成は、前記した図１の携帯電話機１００のベースバンド信号処理部９以降の画像信号処理に関係する各部、即ち図２の部分ブロック図に明示された構成部分から、音声処理部１３、受話器１４、及び送話器１５を除いた部分に相当する。従って、本実施の形態の携帯電話機５２の全構成は、図１の携帯電話機１００のうち、図２の部分ブロック図の音声処理部１３、受話器１４、及び送話器１５を除いた部分を図２０のブロック図に示す構成としたものである。
【００９７】
また、本実施の形態の携帯電話機５２が、前記した図１７に示す実施の形態８の携帯電話機５１に対して主に異なる点は、マイコン１０ａに発番照合部１０ｆ及び電話番号登録部１０ｇを設けた点と、マイコン１０ａの処理動作が異なる点である。従って、本実施の形態１０の携帯電話機５２が前記した図１７の携帯電話機５１と構成的に共通する部分には同符号を付して説明を省略し、これと異なる特徴的な点を重点的に、以下に説明する。
【００９８】
図２０において、電話番号登録部１０ｇは、例えばユーザーが表示キー１６を用いて、予め、電話番号を登録できるようにマイコン１０ａ内に設けられ、発番照合部１０ｆは、発番と登録された電話番号を照合するために同じくマイコン１０ａ内に設けられている。
【００９９】
図２１は、本実施の形態１０の携帯電話機５２の動作を示すフローチャートであり、図１及び図２０を参照しながらこのフローチャートに沿って、より詳しい動作を以下に説明する。
【０１００】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【０１０１】
マイコン１０ａでは、送られてきた発番の情報を、予め登録された電話番号と照合し（Ｓ２５）、登録された電話番号と一致していた場合、通常動作を行う（Ｓ１６）。登録された電話番号と一致しなかった場合は、送られてきた回数情報が、呼び出し回数設定部１０ｅに設定された回数以内か否かを判定し（Ｓ１４）、設定された回数以内の呼び出しであれば、発番を表示しない指示を発番表示制御信号で発番非表示回路５３に送って発番を非表示とする（Ｓ１７）。次に、呼び出しが継続しているか確認し（Ｓ１１）、呼び出しが継続していない場合は発信者番号を表示しないまま、（Ｓ１９）動作を終了する（Ｓ７）。
【０１０２】
尚、ここでいう通常動作とは、実施の形態８の携帯電話機５１（図１７）のような発番の非表示動作を行なわない、前記した携帯電話機１００（図１）が行なう基本的な動作のことである。
【０１０３】
一方、呼び出しが継続している場合、再び、呼び出し回数設定部１０ｅに設定された回数以内かそれ以降であるかを判定し（Ｓ１４）、設定回数以降であれば発番を表示するという指示を発番表示制御信号で発番非表示回路５３に送る（Ｓ２０）。発番非表示回路５３では、マイコン１０ａからの発番表示制御信号に基づいて発番を表示する画像信号をそのまま送出し（Ｓ１８）、動作を終了する（Ｓ７）。
【０１０４】
以上のように、実施の形態１０の携帯電話機によれば、前記プチコールとワンギリコールを分けて扱うことができる。すなわち携帯電話ユーザーは、必要とするプチコールを見逃すこと無しに、迷惑電話を受け取ることで不愉快な思いをすることのない携帯電話機を提供することができる。
【０１０５】
実施の形態１１．
図２２は、本発明による携帯電話機の部分構成を示す実施の形態１１のブロック図である。このブロック図の部分構成は、前記した図１の携帯電話機１００のベースバンド信号処理部９以降の音声・画像信号処理に関係する各部を除き、ベースバンド信号処理部９とマイコン制御部１０の関係を示したものである。従って、本実施の形態の携帯電話機６１の全構成は、図１の携帯電話機１００のうち、図２の部分ブロック図の画像処理部１１、表示部１２、音声処理部１３、受話器１４、及び送話器１５を除いた部分を図２２のブロック図に示す構成としたものである。
【０１０６】
また、本実施の形態の携帯電話機６１が、前記した図１の携帯電話機１００と主に異なる点は、後述するカウンター１８を新たに追加した点と、マイコン１０ａの処理動作が異なる点である。従って、本実施の形態の携帯電話機６１が前記した図１の携帯電話機１００と構成的に共通する部分は、図面を省略し、或いは同符号を付して説明を省略し、これと異なる特徴的な点を重点的に、以後説明する。
【０１０７】
同図中、カウンター１８は、着信に対して呼び出しの回数をカウントし、マイコン１０ａの判定部１０ｄは、カウンター１８から送られてきた回数情報が、最初（１回目）であるか２回目以降であるかを判定する。
【０１０８】
図２３は、本実施の形態１１の携帯電話機６１の動作を示すフローチャートであり、図１及び図２２を参照しながらこのフローチャートに沿って、より詳しい動作を以下に説明する。尚、前出のステップと同じ処理動作を行なうステップには、同じステップ番号を付して説明する。
【０１０９】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【０１１０】
マイコン１０ａでは、送られてきた回数情報が、最初（１回目）であるか２回目以降であるかを判定し（Ｓ９）、最初（１回目）の呼び出しであれば、発番をメモリー１０ｂに記録しないよう指示する（Ｓ２１）。この指示はマイコン制御部内で閉じている。次に、呼び出しが継続しているか判定を行い（Ｓ１１）、呼び出しが継続していない場合は発番を記録しないまま（Ｓ２３）、動作を終了する（Ｓ７）。
【０１１１】
一方、呼び出しが継続している場合、再び、最初（１回目）であるか２回目以降であるかを判定し（Ｓ９）、２回目以降であれば発番をメモリー１０ｂに記録するよう指示する（Ｓ２４）。この指示はマイコン制御部内で閉じており、マイコン１０ａからの指示に基づいて発番がメモリー１０ｂに記録され（Ｓ６）、動作を終了する（Ｓ７）。
【０１１２】
以上のように、実施の形態１１の携帯電話機によれば、ワンギリコールの発番だけをメモリーに記録しないようすることが可能である。これにより、携帯電話ユーザーが、誤って発信元に通信することにより法外な料金を請求され、多大な被害を被ったりしないようにすることができる。
【０１１３】
実施の形態１２．
図２４は、本発明による携帯電話機によって行なわれる実施の形態１２の動作処理を説明するためのフローチャートである。本実施の形態１２では、実施の形態１１の携帯電話機６１（図２２）が、ユーザーが表示キー１６を用いて、通常動作と上記非表示動作を選択的に指定可能に構成されているものとする。ここでいう通常動作とは、実施の形態１１の携帯電話機６１（図２２）のような発番非記録動作を行なわない、前記した携帯電話機１００（図１）が行なう基本的な動作のことである。
【０１１４】
また、この動作を実現するための回路構成としては、実施の形態１１で示した携帯電話機６１の構成において、マイコン設定を変えるだけで対応できるため、図１、図２２に示す携帯電話機６１を参照しながら、図２４のフローチャートに沿って以下に説明する。
【０１１５】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【０１１６】
マイコン１０ａでは、ユーザーによって前記した通常動作の設定がなされているかどうかを判定し（Ｓ１５）、通常動作の設定がなされていた場合、通常動作を行う（Ｓ１６）。通常動作の設定がなされていない場合は、送られてきた回数情報が、最初（１回目）であるか２回目以降であるかを判定し（Ｓ９）、最初（１回目）の呼び出しであれば、発番をメモリー１０ｂに記録しないよう指示する（Ｓ２１）。この指示はマイコン制御部内で閉じている。次に、呼び出しが継続しているか判定を行い（Ｓ１１）、呼び出しが継続していない場合は発番を記録しないまま（Ｓ２３）、動作を終了する（Ｓ７）。
【０１１７】
一方、呼び出しが継続している場合、再び、最初（１回目）であるか２回目以降であるかを判定し（Ｓ９）、２回目以降であれば発番をメモリー１０ｂに記録するよう指示する（Ｓ２４）。この指示はマイコン制御部内で閉じており、マイコンからの指示に基づいて発番がメモリー１０ｂに記録され（Ｓ６）、動作を終了する（Ｓ７）。
【０１１８】
以上のように、実施の形態１２の動作処理によれば、ユーザーが、携帯電話機に対してワンギリコールを無視するモードを必要に応じて選択的に設定したり解除したりできるので、前記した「プチコール」に対して、その着信履歴を残すことも可能である。
【０１１９】
実施の形態１３．
図２５は、本発明による携帯電話機の部分構成を示す実施の形態１３のブロック図である。このブロック図の部分構成は、前記した図１の携帯電話機１００のベースバンド信号処理部９以降の音声・画像信号処理に関係する各部を除き、ベースバンド信号処理部９とマイコン制御部１０の関係を示したものである。従って、本実施の形態の携帯電話機７１の全構成は、図１の携帯電話機１００のうち、図２の部分ブロック図の画像処理部１１、表示部１２、音声処理部１３、受話器１４、及び送話器１５を除いた部分を図２５のブロック図に示す構成としたものである。
【０１２０】
また、本実施の形態の携帯電話機７１が、前記した図２２に示す実施の形態１１の携帯電話機６１に対して主に異なる点は、マイコン１０ａに呼び出し回数設定部１０ｅを設けた点と、マイコン１０ａの処理動作が異なる点である。従って、本実施の形態１３の携帯電話機７１が、前記した図２２の携帯電話機６１と構成的に共通する部分には同符号を付して説明を省略し、これと異なる特徴的な点を重点的に、以後説明する。
【０１２１】
図２５において、呼び出し回数設定部１０ｅは、例えばユーザーが表示キー１６を用いて、呼び出しに対して発番を記録しない回数を任意に設定できるようにマイコン１０ａ内に設けられ、判定部１０ｄは、カウンター１８から送られてきた回数情報が、設定された回数以内か否かの判定を行なう。
【０１２２】
図２６は、本実施の形態１３の携帯電話機７１の動作を示すフローチャートであり、図１及び図２５を参照しながら、このフローチャートに沿って、より詳しい動作を以下に説明する。
【０１２３】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【０１２４】
マイコン１０ａでは、送られてきた回数情報が、呼び出し回数設定部１０ｅに設定された回数以内か否かを判定し（Ｓ１４）、設定された回数以内の呼び出しであれば、発番をメモリー１０ｂに記録しないよう指示する（Ｓ２１）。この指示はマイコン制御部内で閉じている。次に、呼び出しが継続しているか判定を行い（Ｓ１１）、呼び出しが継続していない場合は発番を記録しないまま（Ｓ２３）、動作を終了する（Ｓ７）。
【０１２５】
一方、呼び出しが継続している場合、再び、呼び出し回数設定部１０ｅに設定された回数以内かそれ以降であるかを判定し（Ｓ１４）、設定回数以降であれば発番をメモリー１０ｂに記録するよう指示する（Ｓ２４）。この指示はマイコン制御部内で閉じており、マイコンからの指示に基づいて発番がメモリー１０ｂに記録され（Ｓ６）、動作を終了する（Ｓ７）。
【０１２６】
以上のように、実施の形態１３の携帯電話機によれば、ワンギリコールのみならず、ワンギリコールと同様な手段で、呼び出し回数を２回、３回といった携帯電話ユーザーが着信対応を行うのが困難な回数以内で電話を切るといった同種の迷惑電話に対して、発番を記録しないようにすることが可能である。すなわち、携帯電話ユーザーが、誤って発信元に通信することにより法外な料金を請求され、多大な被害を被ったりしないようにすることができる。
【０１２７】
実施の形態１４．
図２７は、本発明による携帯電話機によって行なわれる実施の形態１４の動作処理を説明するためのフローチャートである。本実施の形態１４では、実施の形態１３の携帯電話機７１（図２５）が、ユーザーが表示キー１６を用いて、通常動作と上記非表示動作を選択的に指定可能に構成されているものとする。ここでいう通常動作とは、実施の形態１３の携帯電話機７１（図２５）のような発番非記録動作を行なわない、前記した携帯電話機１００（図１）が行なう基本的な動作のことである。
【０１２８】
また、この動作を実現するための回路構成としては、実施の形態１３で示した携帯電話機７１の構成において、マイコン設定を変えるだけで対応できるため、図１、図２５に示す携帯電話機７１を参照しながら、図２７のフローチャートに基づく動作処理について説明する。
【０１２９】
この図２７のフローチャートに基づく動作処理が前記した実施の形態１２の動作処理を説明する図２４のフローチャートに基づく動作処理に対して異なる点は、Ｓ１４の動作処理だけである。即ち、実施の形態１２では、マイコン１０ａが送られてきた回数情報が、Ｓ９で、最初（１回目）であるか２回目以降であるかを判定しているのに対して、本実施の形態１４のＳ１４では、呼び出し回数設定部１０ｅに設定された回数以内か否かを判定している点だけである。その他の処理動作は、全く同じであるため、重複をさけるためにここでの説明を省略する。
【０１３０】
以上のように、本実施の形態１４によれば、実施の形態１３の効果に加え、ユーザーが、携帯電話機に対して迷惑電話を無視するモードを必要に応じて選択的に設定したり解除したりできるので、ごく親しい間柄で、発番が既にわかっている者同士で使用されている、いわゆる、「プチコール」に対して、その着信履歴を残すことも可能である。
【０１３１】
実施の形態１５．
図２８は、本発明による携帯電話機の部分構成を示す実施の形態１５のブロック図である。このブロック図の部分構成は、前記した図１の携帯電話機１００のベースバンド信号処理部９以降の音声・画像信号処理に関係する各部を除き、ベースバンド信号処理部９とマイコン制御部１０の関係を示したものである。従って、本実施の形態の携帯電話機７２の全構成は、図１の携帯電話機１００のうち、図２の部分ブロック図の画像処理部１１、表示部１２、音声処理部１３、受話器１４、及び送話器１５を除いた部分を図２８のブロック図に示す構成としたものである。
【０１３２】
また、本実施の形態の携帯電話機７２が、前記した図２５に示す実施の形態１３の携帯電話機７１に対して主に異なる点は、マイコン１０ａに発番照合部１０ｆ及び電話番号登録部１０ｇを設けた点と、マイコン１０ａの処理動作が異なる点である。従って、本実施の形態１５の携帯電話機７２が前記した図２５の携帯電話機７１と構成的に共通する部分には同符号を付して説明を省略し、これと異なる特徴的な点を重点的に、以下に説明する。
【０１３３】
図２８において、電話番号登録部１０ｇは、例えばユーザーが表示キー１６を用いて、予め、電話番号を登録できるようにマイコン１０ａ内に設けられ、発番照合部１０ｆは、発番と登録された電話番号を照合するために同じくマイコン１０ａ内に設けられている。
【０１３４】
図２９は、本実施の形態１５の携帯電話機７２の動作を示すフローチャートであり、図１及び図２８を参照しながらこのフローチャートに沿って、より詳しい動作を以下に説明する。
【０１３５】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号による呼び出し回数がカウンター１８によって数えられ、その回数情報が発番と共にマイコン１０ａに送られる。
【０１３６】
マイコン１０ａでは、送られてきた発番の情報を、予め登録された電話番号と照合し（Ｓ２５）、登録された電話番号と一致していた場合、通常動作を行う（Ｓ１６）。登録された電話番号と一致しなかった場合は、送られてきた回数情報が、呼び出し回数設定部１０ｅに設定された回数以内か否かを判定し（Ｓ１４）、設定された回数以内の呼び出しであれば、発番をメモリー１０ｂに記録しないよう指示する（Ｓ２１）。この指示はマイコン制御部内で閉じている。次に、呼び出しが継続しているか判定を行い（Ｓ１１）、呼び出しが継続していない場合は発番を記録しないまま（Ｓ２３）、動作を終了する（Ｓ７）。
【０１３７】
尚、ここでいう通常動作とは、実施の形態１１の携帯電話機６１（図２２）のような発番非記録動作を行なわない、前記した携帯電話機１００（図１）が行なう基本的な動作のことである。
【０１３８】
一方、呼び出しが継続している場合、再び、呼び出し回数設定部１０ｅに設定された回数以内かそれ以降であるかを判定し（Ｓ１４）、設定回数以降であれば発番をメモリー１０ｂに記録するよう指示する（Ｓ２４）。この指示はマイコン制御部内で閉じており、マイコンからの指示に基づいて発番がメモリー１０ｂに記録され（Ｓ６）、動作を終了する（Ｓ７）。
【０１３９】
以上のように、実施の形態１５の携帯電話機によれば、前記プチコールとワンギリコールを分けて扱うことができる。すなわち携帯電話ユーザーは必要とするプチコールに対して着信履歴を残すことができ、迷惑電話に対する着信履歴は残さなくてすむ。従って携帯電話ユーザーは、迷惑電話に対しては、誤って発信元に通信することにより法外な料金を請求され、多大な被害を被ったりしないようにすることができる。
【０１４０】
実施の形態１６．
図３０は、本発明による携帯電話機の部分構成を示す実施の形態１６のブロック図である。このブロック図の部分構成は、前記した図１の携帯電話機１００のベースバンド信号処理部９以降の音声・画像信号処理に関係する各部を除き、ベースバンド信号処理部９とマイコン制御部１０の関係を示したものである。従って、本実施の形態の携帯電話機８１の全構成は、図１の携帯電話機１００のうち、図２の部分ブロック図の画像処理部１１、表示部１２、音声処理部１３、受話器１４、及び送話器１５を除いた部分を図３０のブロック図に示す構成としたものである。
【０１４１】
また、本実施の形態の携帯電話機８１が、前記した図２８に示す実施の形態１５の携帯電話機７２に対して主に異なる点は、感知手段に相当するバイブレータ／発光素子８２を新たに設けた点と、マイコン１０ａの処理動作が異なる点である。従って、本実施の形態１６の携帯電話機８１が前記した図２８の携帯電話機７２と構成的に共通する部分には同符号を付して説明を省略し、これと異なる特徴的な点を重点的に、以下に説明する。
【０１４２】
図３０において、バイブレータ／発光素子８２は、マイコン１０ａから入力する振動／発光制御信号に応じて携帯電話機８１自体を振動させると共に、携帯電話機の所定位置に配設した発光素子を発光させる。
【０１４３】
図３１は、本実施の形態１６の携帯電話機８１の動作を示すフローチャートであり、図１及び図３０を参照しながらこのフローチャートに沿って、より詳しい動作を以下に説明する。
【０１４４】
前記した実施の形態１の場合と同様にＳ１〜Ｓ３、及びＳ８において、着信の検出、発番の受信が行なわれ、ベースバンド信号処理部９に送られた受信情報の内、呼び出しに関する情報である呼び出し信号の呼び出し回数がカウンター１８によって数えられ、その回数情報が発番と共にマイコン１０ａに送られる。
【０１４５】
マイコン１０ａでは、送られてきた発番の情報を、予め登録された電話番号と照合し（Ｓ２５）、登録された電話番号と一致していた場合、通常動作を行う（Ｓ１６）。登録された電話番号と一致しなかった場合は、送られてきた回数情報が、呼び出し回数設定部１０ｅに設定された回数以内か否かを判定し（Ｓ１４）、設定された回数以内の呼び出しであれば、バイブレータ／発光素子８２を振動及び発光させない指示を振動／発光制御信号でバイブレータ／発光素子８２に送る（Ｓ２８）。次に、呼び出しが継続しているか判定を行い（Ｓ１１）、呼び出しが継続していない場合はバイブレータ／発光素子８２を振動及び発光させないまま（Ｓ２２）、動作を終了する（Ｓ７）。
【０１４６】
尚、ここでいう通常動作とは、本実施の形態の携帯電話機８２のようなバイブレータ／発光素子８２の非振動／発光制御を行なわない、基本的な動作のことである。
【０１４７】
一方、呼び出しが継続している場合、再び、呼び出し回数設定部１０ｅに設定された回数以内かそれ以降であるかを判定し（Ｓ１４）、設定回数以降であればバイブレータ／発光素子８２を振動及び発光させるという指示を振動／発光制御信号でバイブレータ／発光素子８２に送る（Ｓ２６）。バイブレータ／発光素子８２では、この振動／発光制御信号に基づいて振動及び発光状態となって（Ｓ２７）、動作を終了する。
【０１４８】
尚、本実施の形態では、バイブレータ／発光素子８２によって、振動及び発光を同時に行なうよう説明したが、これに限定されるものではなく、どちらか一方の機能のみを備えるように構成してもよい。
【０１４９】
以上のように、実施の形態１６の携帯電話機によれば、ワンギリコールや迷惑電話の場合に、携帯電話ユーザーに対する振動又は／及び発光による通知を防ぐことができるので、迷惑電話を受け取ることで不愉快な思いをしたりしないようにすることができる。
【０１５０】
尚、前記した各実施の形態では、それぞれの機能を独立して用いた構成で説明したが、本発明は、これに限定されるものではなく、例えば、実施の形態１から実施の形態５の着信音制御の機能と、実施の形態６から実施の形態１０の発番表示制限の機能とを合わせ持つように構成しても良いなど、種々の態様を取り得るものである。
【０１５１】
【発明の効果】
本発明によれば、携帯電話ユーザーが、頻繁に電話番号登録を更新したり、必要な着信を拒否したりすることなく、ワンギリコールを受け取ることで不愉快な思いをしたり、また、誤って発信元に通信することにより法外な料金を請求され、多大な被害を被ったりすることを防止することが可能な携帯電話機を提供することができる。
【図面の簡単な説明】
【図１】本発明の携帯電話機を説明するため、参考として引用される基本的な機能を備えた携帯電話機１００の全体の構成を示すブロック図である。
【図２】図１の内、ベースバンド信号処理部９以降の信号処理に関係する各部を、より詳しく説明するための部分ブロック図である。
【図３】携帯電話機１００の着信動作を説明するためのフローチャートである。
【図４】本発明による携帯電話機の要部構成を示す実施の形態１のブロック図である。
【図５】本発明の実施の形態１の携帯電話機２１の別の構成例を示すブロック図である。
【図６】本発明の実施の形態１の携帯電話機２１の動作を示すフローチャートである。
【図７】本発明による携帯電話機によって行なわれる実施の形態２の動作処理を説明するためのフローチャートである。
【図８】本発明による携帯電話機の要部構成を示す実施の形態３のブロック図である。
【図９】本実施の形態３の携帯電話機３１の動作を示すフローチャートである。
【図１０】本発明による携帯電話機によって行なわれる実施の形態４の動作処理を説明するためのフローチャートである。
【図１１】本発明による携帯電話機の要部構成を示す実施の形態５のブロック図である。
【図１２】本実施の形態５の携帯電話機３２の動作を示すフローチャートである。
【図１３】本発明による携帯電話機の部分構成を示す実施の形態６のブロック図である。
【図１４】実施の形態６の携帯電話機４１の別の構成例を示すブロック図である。
【図１５】本実施の形態６の携帯電話機４１の動作を示すフローチャートである。
【図１６】本発明による携帯電話機によって行なわれる実施の形態７の動作処理を説明するためのフローチャートである。
【図１７】本発明による携帯電話機の部分構成を示す実施の形態８のブロック図である。
【図１８】本実施の形態８の携帯電話機５１の動作を示すフローチャートである。
【図１９】本発明による携帯電話機によって行なわれる実施の形態９の動作処理を説明するためのフローチャートである。
【図２０】本発明による携帯電話機の要部構成を示す実施の形態１０のブロック図である。
【図２１】本実施の形態１０の携帯電話機５２の動作を示すフローチャートである。
【図２２】本発明による携帯電話機の部分構成を示す実施の形態１１のブロック図である。
【図２３】本実施の形態１１の携帯電話機６１の動作を示すフローチャートである。
【図２４】本発明による携帯電話機によって行なわれる実施の形態１２の動作処理を説明するためのフローチャートである。
【図２５】本発明による携帯電話機の部分構成を示す実施の形態１３のブロック図である。
【図２６】本実施の形態１３の携帯電話機７１の動作を示すフローチャートである。
【図２７】本発明による携帯電話機によって行なわれる実施の形態１４の動作処理を説明するためのフローチャートである。
【図２８】本発明による携帯電話機の部分構成を示す実施の形態１５のブロック図である。
【図２９】本実施の形態１５の携帯電話機７２の動作を示すフローチャートである。
【図３０】本発明による携帯電話機の部分構成を示す実施の形態１６のブロック図である。
【図３１】本実施の形態１６の携帯電話機８１の動作を示すフローチャートである。
【符号の説明】
１  アンテナ、  ２  アンテナ共用部、  ３  受信部、  ４  送信部、  ５  周波数シンセサイザ、  ６  無線部、  ７  受信処理部、  ８  送信処理部、  ９  ベースバンド信号処理部、  １０  マイコン制御部、  １０ａ  マイコン本体、  １０ｂ  メモリー、  １０ｃ  ＥＥＰＲＯＭ、  １０ｄ  判定部、  １０ｅ  呼び出し回数設定部、  １１  画像処理部、  １１ａ  発番非表示部、  １２  表示部、  １３  音声処理部、  １３ａ  音声処理回路、  １３ｂ  Ｄ／Ａ変換器、  １３ｃ  Ａ／Ｄ変換器、  １３ｄ  着信音非送信部、  １４  受話器、  １５  送話器、  １６  表示キー、  １７  電源部、  １８  カウンタ、  １９  ミュート回路、  ２１  携帯電話機、  ３１  携帯電話機、  ３２  携帯電話機、  ４１  携帯電話機、  ５３  発番非表示回路、  ５１  携帯電話機、５２  携帯電話機、  ６１  携帯電話機、  ７１  携帯電話機、  ７２  携帯電話機、  ８１  携帯電話機、  ８２  バイブレータ／発光素子、  １００  携帯電話機。
【図１】
2004201058.tif 000003
【図２】
2004201058.tif 000004
【図３】
2004201058.tif 000005
【図４】
2004201058.tif 000006
【図５】
2004201058.tif 000007
【図６】
2004201058.tif 000008
【図７】
2004201058.tif 000009
【図８】
2004201058.tif 000010
【図９】
2004201058.tif 000011
【図１０】
2004201058.tif 000012
【図１１】
2004201058.tif 000013
【図１２】
2004201058.tif 000014
【図１３】
2004201058.tif 000015
【図１４】
2004201058.tif 000016
【図１５】
2004201058.tif 000017
【図１６】
2004201058.tif 000018
【図１７】
2004201058.tif 000019
【図１８】
2004201058.tif 000020
【図１９】
2004201058.tif 000021
【図２０】
2004201058.tif 000022
【図２１】
2004201058.tif 000023
【図２２】
2004201058.tif 000024
【図２３】
2004201058.tif 000025
【図２４】
2004201058.tif 000026
【図２５】
2004201058.tif 000027
【図２６】
2004201058.tif 000028
【図２７】
2004201058.tif 000029
【図２８】
2004201058.tif 000030
【図２９】
2004201058.tif 000031
【図３０】
2004201058.tif 000032
【図３１】
2004201058.tif 000033